(57)【要約】【課題】下地部を構成する上側下地板層及び下側下地板層の全てを構造用の合板で形成した構成と比較して下地部の強度を同等に維持できて、かつ、安価な二重床を提供する。【解決手段】本発明の二重床１は、床スラブ２と、床スラブ２の上に所定の間隔で配置された防振ゴム３１付きの支持脚３と、支持脚３の上に形成された床板構成部４とを備え、床板構成部４は、支持脚３の上に形成された基材部４０と、基材部４０の上に形成された下地部５０と、下地部５０の上に形成された床仕上げ部６０とを備え、下地部５０は、基材部４０の上に複数の板材が水平方向に並べられて形成された下側下地板層５１と、下側下地板層５１の上に複数の板材が水平方向に並べられて形成された上側下地板層５２とを備え、下側下地板層５１及び上側下地板層５２のうちの少なくとも一方の層が合板以外の板材により形成された構成とした。【選択図】図１
2013122110.tif 000002
【特許請求の範囲】
【請求項１】
床スラブと、床スラブの上に所定の間隔で配置された防振ゴム付きの支持脚と、支持脚の上に形成された床板構成部とを備え、
床板構成部は、支持脚の上に形成された基材部と、基材部の上に形成された下地部と、下地部の上に形成された床仕上げ部とを備え、
下地部は、基材部の上に複数の板材が水平方向に並べられて形成された下側下地板層と、下側下地板層の上に複数の板材が水平方向に並べられて形成された上側下地板層とを備え、下側下地板層及び上側下地板層のうちの少なくとも一方の層が合板以外の板材により形成されたことを特徴とする二重床。
【請求項２】
下側下地板層を形成する板材の端面と上側下地板層を形成する板材の端面とが同一平面上に位置しないように各板材が配置されたことを特徴とする請求項１に記載の二重床。
【発明の詳細な説明】
【技術分野】
【０００１】
本発明は、スラブ床上に支持脚を複数個配置し、これらの支持脚上に床板構成部を形成した二重床に関するものである。
【背景技術】
【０００２】
床スラブと、床スラブの上に所定の間隔で配置された防振ゴム付きの支持脚と、支持脚の上に形成された床板構成部とを備えた二重床において、床板構成部が、支持脚の上に形成された基材部と、基材部の上に形成された下地部と、下地部の上に形成された床仕上げ部とを備え、下地部を構成する下側下地板層及び上側下地板層が全て構造用の合板により形成された構成の二重床が知られている。
【先行技術文献】
【特許文献】
【０００３】
【特許文献１】特開２００４−２５７０５９号公報
【発明の概要】
【発明が解決しようとする課題】
【０００４】
近年、構造用の合板の価格が高騰しており、上述した従来技術のように、下地部を構成する下側下地板層及び上側下地板層の全てを構造用の合板により形成することは建築コストの上昇に繋がるという問題点があった。
本発明は、下地部を構成する下側下地板層及び上側下地板層の全てを構造用の合板で形成した構成と比較して下地部の強度を同等に維持できて、かつ、安価な二重床を提供することを目的とする。
【課題を解決するための手段】
【０００５】
本発明の二重床は、床スラブと、床スラブの上に所定の間隔で配置された防振ゴム付きの支持脚と、支持脚の上に形成された床板構成部とを備え、床板構成部は、支持脚の上に形成された基材部と、基材部の上に形成された下地部と、下地部の上に形成された床仕上げ部とを備え、下地部は、基材部の上に複数の板材が水平方向に並べられて形成された下側下地板層と、下側下地板層の上に複数の板材が水平方向に並べられて形成された上側下地板層とを備え、下側下地板層及び上側下地板層のうちの少なくとも一方の層が合板以外の板材により形成されたので、合板以外の板材として合板と同等の強度を有し、かつ、合板よりも安価な板材を用いることで、下地部を構成する下側下地板層及び上側下地板層の全てを構造用の合板で形成した構成と比較して下地部の強度を同等に維持できて、かつ、安価な二重床を提供できる。
また、下側下地板層を形成する板材の端面と上側下地板層を形成する板材の端面とが同一平面上に位置しないように各板材が配置されたので、下地部の剛性がより大きくなり、支持脚の配置レイアウトの自由度が確保されるとともに、二重床の施工後、間仕切りの位置を自由に変更できる所謂フリープランに対応可能な二重床を提供できる。
【図面の簡単な説明】
【０００６】
【図１】二重床の構成を示す断面図。
【図２】下地部を形成する上下の板材の目違い配置を示す断面図。
【発明を実施するための形態】
【０００７】
実施形態１
図１に示すように、二重床１は、床スラブ２と、床スラブ２の上に所定の間隔で配置された複数の支持脚３と、複数の支持脚３の上に形成された床板構成部４とを備える。
【０００８】
支持脚３は、床スラブ２上に設置される防振ゴム３１と、下部が防振ゴム３１に取付けられて防振ゴム３１に支持される例えば金属製や樹脂製等の支柱３２と、支柱３２の上端部に設けられた台座３３とを備える。支柱３２の上部の外周面は図外の雄ねじ部に形成される。
台座３３は、例えば、パーティクルボード、あるいは、構造用合板（以下、単に「合板」という）で形成される。台座３３は、台座３３の上下面に貫通する図外の貫通孔を備え、この貫通孔内には当該貫通孔を上下に貫通いする金属製の筒３４が固定され、この金属製の筒３４の内周面は図外の雌ねじ部に形成される。
つまり、支持脚３は、支柱３２の上部の外周面に形成された雄ねじ部の雄ねじと金属製の筒３４の内周面に形成された雌ねじ部の雌ねじとのねじ嵌合により、台座３３が支柱３２に対して上下に移動可能に構成され、台座３３のレベル（高さ）を調整可能である。
尚、壁面９０の近く、即ち、壁際に設ける壁際支持脚３ａは、防振ゴム３１の硬度が例えば７０°のものを用い、壁際以外の位置に設ける中央側支持脚３ｂは、防振ゴム３１の硬度が例えば６５°のものを用いることで、重量物が設置されることが多い壁際の剛性を上げている。
【０００９】
床板構成部４は、支持脚の上に形成された基材部４０と、基材部４０の上に形成された下地部５０と、下地部５０の上に形成された床仕上げ部６０とを備える。基材部４０と台座３３とが図外の固定手段により固定され、基材部４０と下地部５０とが図外の固定手段により固定される。上記固定手段は、釘、スクリュー釘、タッカー針、ビス等である。タッカー針は、針の先端部に接着剤が固着された接着剤付きのタッカー針を用いる。
【００１０】
基材部４０は、複数の支持脚３の台座３３上に載置されて水平方向に並べられ上記固定手段により台座３３に固定された複数の板材により構成される。基材部４０を構成する複数の板材は、固定手段の最大引き抜き耐力が大きいもの、即ち、固定手段が抜け難い構成の平板材、例えば、パーティクルボード、あるいは、合板を用いる。
床仕上げ部６０は、フローリング床材、カーペット、タイル、絨毯、石板、畳等により構成される。
【００１１】
下地部５０は、下側下地板層５１と上側下地板層５２とを備える。
下側下地板層５１は、基材部４０の上に水平方向に並べられ上記固定手段により基材部４０に固定された複数の板材５１ａにより構成される。
上側下地板層５２は、下側下地板層５１の上に水平方向に並べられ上記固定手段により下側下地板層５１に固定された複数の板材５２ａにより構成される。
下地部５０を構成する板材５１ａ；５２ａとしては、例えば、パーティクルボード、強化パーティクルボード（通常のパーティクルボードよりもプレス圧を大きくして硬く形成されたパーティクルボード）、藁板等の合板以外の木質系板材や、石膏ボード、珪酸カルシウム板等の非木質系板材が用いられる。即ち、下地部５０を構成する板材５１ａ；５２ａとしては、合板と同等又は同等以上の強度を有しかつ合板よりも安価な板材を用いる。
【００１２】
尚、藁板とは、例えば、藁を１２ｍｍ〜１００ｍｍの長さにカットした藁繊維と撥水剤入りの接着剤とを混合したものをマット上に配置してプレスした後、摂氏２００℃で３〜５分間加圧成形することにより形成されたものである。このように、藁板は、１２ｍｍ〜１００ｍｍの長さにカットした比較的長さの長い麦藁繊維を主成分とし、麦藁繊維同士を結合して形成されるものであるため、以下のような特性を有する。
（１）麦藁繊維同士を結合する接着剤の量を少なくでき、ホルムアルデヒドの発散量を０．０２ｍｇ／Ｌとできる。即ち、パーティクルボードや構造用合板と比べて、接着剤の使用量が少なく、ホルムアルデヒドの発散量が少ない。つまり、藁板材の形成においては、麦藁の長繊維同士が絡まるため、木粉同士を接着剤で接着して形成するパーティクルボードや複数の板同士を接着剤で貼り合わせて形成する構造用合板と比べて、接着剤の量を少なくできる。
（２）板面に垂直に荷重を加えた場合の曲げ強度を１８．５Ｍｐａ、板面に垂直に荷重を加えた場合の曲げヤング係数を２．７０Ｇｐａとできる。即ち、パーティクルボードや構造用合板と比べて剛性が大きい。
（３）釘の最大引き抜き耐力を２５０Ｎとでき、釘接合せん断力最大耐力を１３３８Ｎとできる。即ち、パーティクルボードや構造用合板と比べて、釘の最大引き抜き耐力及び釘接合せん断力最大耐力が大きい。
（４）材料が藁であるため、パーティクルボードや構造用合板と比べて安価であり、また、価格の変動が少なく、安定供給が可能である。
（５）撥水性に優れる。
【００１３】
例えば、基材部４０を形成する板材としては、縦寸法１８２０ｍｍ、横寸法６００ｍｍ、板厚寸法２０ｍｍの板材及び当該板材の縦寸法や横寸法を短く調整した板材を用い、下地部５０を形成する板材５１ａ；５２ａとしては、縦寸法１８２０ｍｍ、横寸法９１０ｍｍ、板厚寸法２０ｍｍの板材及び当該板材の縦寸法や横寸法を短く調整した板材を用いる。
本発明では、上記板材の上記縦寸法及び横寸法で規定された矩形面を板材の板面といい、上記縦寸法及び板厚寸法で規定された細長の矩形面や、上記横寸法及び板厚寸法で規定された細長の矩形面を板材の端面と呼ぶ。即ち、板材は、互いに平行に相対峙する一対の板面と、一対の板面の周辺同士を繋ぐ端面とを備え、端面が一対の板面に対して垂直な面により形成された構成である。
【００１４】
また、図２に示すように、下側下地板層５１を形成する板材５１ａの端面５１ｂと上側下地板層５２を形成する板材５２ａの端面５２ｂとが同一平面上に位置しないように、下側下地板層５１を形成する複数の板材５２ａの上に上側下地板層５２を形成する複数の板材５２ａが配置される。即ち、下側下地板層５１を形成する複数の板材５１ａと上側下地板層５２を形成する複数の板材５２ａとが目違い配置されたことで、下地部５０の剛性を高めるようにしている。つまり、下側下地板層５１を形成する板材５１ａの端面５１ｂと上側下地板層５２を形成する板材５２ａの端面５２ｂとが同一平面上に位置するように、下側下地板層５１を形成する複数の板材５１ａの上に上側下地板層５２を形成する複数の板材５２ａが配置される場合には、互いに隣り合う板材の端面と端面との隙間によって下地部５０の上面から下面まで上下垂直方向に連続する切れ目が生じることになる。従って、この切れ目の部分の強度が低くなるので、この切れ目部分の下に支持脚３を配置することが必要となり、支持脚３の配置レイアウトの自由度が阻害されてしまうという課題が生じる。しかしながら、実施形態１では、上述のように、下側下地板層５１を形成する板材５１ａの端面５１ｂと上側下地板層５２を形成する板材５２ａの端面５２ｂとが同一平面上に位置しないように、下側下地板層５１を形成する複数の板材５１ａと上側下地板層５２を形成する複数の板材５２ａとが目違い配置されたことによって、下地部５０の剛性が高まる。従って、支持脚３の配置レイアウトの自由度が確保されるとともに、二重床１の施工後、図外の間仕切りの位置を自由に変更できる所謂フリープランに対応可能な二重床１を提供できる。
【００１５】
下側下地板層５１が石膏ボード、珪酸カルシウム板等の非木質系板材により形成される場合において上側下地板層５２を形成する板材５２ａを基材部４０に固定する際の上記固定手段としては、上側下地板層５２を形成する板材５２ａ及び下側下地板層５１を形成する非木質系板材を貫通して基材部４０に食い込んで固定される長さの固定手段を用いることにより、下側下地板層５１を形成する板材５１ａが非木質系板材であっても上側下地板層５２を形成する板材５２ａを基材部４０に確実に固定できる。
【００１６】
次に二重床１の構築方法を説明する。まず、床スラブ２上に所定の間隔で複数の支持脚３を設置し、複数の支持脚３の台座３３の上面を所望の水平レベルに合わせるよう調整する。複数の支持脚３の台座３３の上に基材部４０を形成する複数の板材が互いに隣り合うように敷設され、この複数の板材がそれぞれ対応する支持脚３の台座３３に上記固定手段で固定される。そして、下側下地板層５１を形成するための複数の板材５１ａが水平面に形成された基材部４０の上面に並べられて設置され、当該複数の板材５１ａが上記固定手段で基材部４０に固定されて、下側下地板層５１が形成される。さらに、上側下地板層５２を形成するための複数の板材５２ａが水平面に形成された下側下地板層５１の上面に並べられて設置され、当該複数の板材５２ａが上記固定手段で下側下地板層５１又は基材部４０に固定されて、上側下地板層５２が形成される。そして、下地部５０の上に床仕上げ部６０が形成されることで二重床１が完成する。
【００１７】
実施形態１によれば、下側下地板層５１及び上側下地板層５２を合板以外の板材により形成したので、合板以外の板材として合板と同等の強度又は同等以上の強度を有し、かつ、合板よりも安価な板材を用いることで、下地部５０を構成する下側下地板層５１及び上側下地板層５２の全てを構造用の合板で形成した構成と比較して下地部５０の強度を同等に維持できて、かつ、安価な二重床１を提供できる。
さらに、下側下地板層５１を形成する板材５１ａの端面５１ｂと上側下地板層５２を形成する板材５２ａの端面５２ｂとが同一平面上に位置しないように各板材５１ａ；５２ａが配置されたので、下地部５０の剛性がより大きくなり、支持脚３の配置レイアウトの自由度が確保されるとともに、二重床１の施工後、図外の間仕切りの位置を自由に変更できる所謂フリープランに対応可能な二重床１を提供できる。
【００１８】
実施形態２
下側下地板層５１及び上側下地板層５２のうちの一方を合板により形成し、他方を合板以外の板材により形成してもよい。
下側下地板層５１を石膏ボード、珪酸カルシウム板等の非木質系板材により形成し、上側下地板層５２を合板により形成する場合、上記固定手段としては、上側下地板層５２を形成する合板及び下側下地板層５１を形成する非木質系板材を貫通して基材部４０にねじ込まれる長さの固定手段を用いることにより、下側下地板層５１を形成する板材５１ａが非木質系板材であっても上側下地板層５２を形成する合板を基材部４０に確実に固定できる。
実施形態２によれば、下側下地板層５１及び上側下地板層５２のうちの少なくとも一方を合板以外の板材により形成したので、下地部５０を構成する下側下地板層５１及び上側下地板層５２の全てを構造用の合板で形成した構成と比較して下地部５０の強度を同等に維持できて、かつ、安価な二重床１を提供できる。また、下側下地板層５１を形成する板材５１ａの端面５１ｂと上側下地板層５２を形成する板材５２ａの端面５２ｂとが同一平面上に位置しないように各板材５１ａ；５２ａが配置することで、下地部５０の剛性がより大きくなり、支持脚３の配置レイアウトの自由度が確保されるとともに、二重床１の施工後、図外の間仕切りの位置を自由に変更できる所謂フリープランに対応可能な二重床１を提供できる。
【００１９】
即ち、本発明では、下側下地板層５１及び上側下地板層５２のうちの少なくとも一方の層が合板以外の板材により形成された構成であればよい。つまり、下側下地板層５１及び上側下地板層５２のうちの一方又は両方が合板以外の板材により形成された構成であればよい。
【符号の説明】
【００２０】
１  二重床、２  床スラブ、３  支持脚、４  床板構成部、３１  防振ゴム、
４０  基材部、５０  下地部、５１  下側下地板層、５１ａ  板材、５１ｂ  端面、
５２  上側下地板層、５２ａ  板材、５２ｂ  端面、６０  床仕上げ部。
【図１】
2013122110.tif 000003
【図２】
2013122110.tif 000004